(57)【要約】【課題】ＣＡＳモジュール指示のリセット要求が発生した場合でも、所望の機能を実現する。【解決手段】  実施形態によれば、放送受信装置は、高度広帯域放送を受信するチューナと、前記チューナによって受信した前記高度広帯域放送の番組の限定受信処理を行うためのＣＡＳモジュールと、前記ＣＡＳモジュールからリセット要求を受信すると、前記ＣＡＳモジュールの不使用期間を判定し、この判定結果に基づいて前記ＣＡＳモジュールの不使用期間に前記ＣＡＳモジュールのリセットを行わせる制御部とを具備する。【選択図】図１
2019103034.tif 000002
【特許請求の範囲】
【請求項１】
高度広帯域放送を受信するチューナと、
前記チューナによって受信した前記高度広帯域放送の番組の限定受信処理を行うためのＣＡＳモジュールと、
前記ＣＡＳモジュールからリセット要求を受信すると、前記ＣＡＳモジュールの不使用期間を判定し、この判定結果に基づいて前記ＣＡＳモジュールの不使用期間に前記ＣＡＳモジュールのリセットを行わせる制御部と
を具備した放送受信装置。
【請求項２】
前記制御部は、電源投入直後又はスタンバイ状態時のリセット可能期間における前記ＣＡＳモジュールの不使用期間に前記ＣＡＳモジュールのリセットを行わせる
請求項１に記載の放送受信装置。
【請求項３】
前記制御部は、前記不使用期間を、前記リセット可能期間内であって、予約録画の録画期間を除く期間に設定する
請求項２に記載の放送受信装置。
【請求項４】
前記制御部は、前記不使用期間を、通常動作時において、限定受信の対象でない番組の受信時、又は地上デジタル放送、ＢＳ放送若しくはＣＳ放送による限定受信の対象番組の受信時に設定する
請求項１記載の放送受信装置。
【請求項５】
前記制御部は、前記リセット要求を受信すると、前記チューナを制御して、地上デジタル放送、ＢＳ放送又はＣＳ放送による放送番組を受信させた後、前記ＣＡＳモジュールのリセットを行わせる
請求項１記載の放送受信装置。
【請求項６】
チューナが、高度広帯域放送を受信し、
ＣＡＳモジュールが、前記チューナによって受信した前記高度広帯域放送の番組の限定受信処理を行い、
制御部が、前記ＣＡＳモジュールからリセット要求を受信すると、前記ＣＡＳモジュールの不使用期間を判定し、この判定結果に基づいて前記ＣＡＳモジュールの不使用期間に前記ＣＡＳモジュールのリセットを行わせる
放送受信方法。
【発明の詳細な説明】
【技術分野】
【０００１】
本発明の実施形態は、放送受信装置及び放送受信方法に関する。
【背景技術】
【０００２】
最近テレビジョン放送分野において、２０１８年にサービス開始を目指した新しい放送（高度ＢＳデジタル、高度広帯域ＣＳデジタル）が検討されている。このため今後のテレビジョン放送の放送波種別は、従来の放送波種別である地上デジタル、ＢＳデジタル、広帯域ＣＳデジタルに加え、高度ＢＳデジタル、高度広帯域ＣＳデジタルが、混在することになる。高度ＢＳデジタルにおいては、４Ｋ画質と８Ｋ画質の放送が計画されている。また高度広帯域ＣＳデジタルにおいては、４Ｋ画質の放送が計画されている。
【０００３】
また、現在運用されている地上デジタル放送、ＢＳ／ＣＳデジタル放送では、限定受信方式（ＣＡＳ）が採用されている。限定受信方式では、暗号化技術を用いて放送番組に暗号化を施し、限定的な放送番組の視聴を可能にする。限定受信方式においては、放送番組に施された暗号化の解除のために、復号用の鍵を保持して復号を行うＣＡＳカードが採用される。また、運用が予定されている高度ＢＳ放送、高度広帯域ＣＳ放送においても、これらの放送に対応するＣＡＳモジュールの導入が検討されている。
【０００４】
ところで、高度ＢＳ，ＣＳ放送に関する標準規格であるＡＲＩＢ  ＳＴＤ−Ｂ６１では、ＣＡＳモジュール指示の「リセット要求」が定義されている。放送受信機に組込まれるＣＡＳモジュールは、例えば、ＣＡＳモジュールのファームウェアのバージョンアップ等のタイミングにおいて、機能安定化のためにリセットが必要となる場合がある。そこで、ＣＡＳモジュールは、放送受信機内のＣＰＵに対してＣＡＳモジュール指示によるリセット要求を発生することができるようになっている。
【０００５】
リセット指示を受けたＣＡＳモジュールは、リセットによって、一時的にデスクランブル処理の実行ができなくなり、番組の視聴が不能となることが考えられる。そこで、標準規格では、ＣＡＳモジュール指示によるリセット要求が発生した場合でも、ＣＡＳモジュールを必ずしも即時にリセットする必要はなく、視聴者が電源オフの操作を行った直後等の受信機がアイドル状態にある期間において、リセットを実行すればよいことになっている。
【０００６】
しかしながら、受信機がアイドル状態であっても、例えば予約録画等の機能を実行する場合があり、ＣＡＳモジュールのリセットによって、所望の機能を実現することができなくなることがあるという問題があった。
【先行技術文献】
【特許文献】
【０００７】
【特許文献１】特表２００８−５２３６４５号
【発明の概要】
【発明が解決しようとする課題】
【０００８】
実施形態は、ＣＡＳモジュール指示のリセット要求が発生した場合でも、所望の機能を実現することができる放送受信装置及び放送受信方法を提供することを目的とする。
【課題を解決するための手段】
【０００９】
実施形態に係る放送受信装置は、高度広帯域放送を受信するチューナと、前記チューナによって受信した前記高度広帯域放送の番組の限定受信処理を行うためのＣＡＳモジュールと、前記ＣＡＳモジュールからリセット要求を受信すると、前記ＣＡＳモジュールの不使用期間を判定し、この判定結果に基づいて前記ＣＡＳモジュールの不使用期間に前記ＣＡＳモジュールのリセットを行わせる制御部とを具備する。
【図面の簡単な説明】
【００１０】
【図１】本発明の第１の実施の形態に係る放送受信装置を示すブロック図。
【図２】第１の実施の形態の動作を説明するためのフローチャート。
【図３】本発明の第２の実施の形態に採用される動作フローを示すフローチャート。
【図４】本発明の第３の実施の形態に採用される動作フローを示すフローチャート。
【発明を実施するための形態】
【００１１】
以下、図面を参照して本発明の実施の形態について詳細に説明する。
（第１の実施の形態）
図１は本発明の第１の実施の形態に係る放送受信装置を示すブロック図である。本実施の形態は、電源オフ（スタンバイ）時を含む受信状況からＣＡＳモジュールの不使用期間を判定して、ＣＡＳモジュールのリセット要求時におけるリセットタイミングを決定することで、リセット要求に伴って必要な機能が制限されてしまうことを防止して、所望の機能の実現を可能にするものである。
【００１２】
図１において、放送受信装置１は、制御部１０を備えている。制御部１０は、ＣＰＵ等を用いたプロセッサによって構成されて、ＲＯＭ１０ａに記憶されたプログラムに従いＲＡＭ１０ｂを用いて動作して各部を制御するものであってもよいし、ハードウェアの電子回路で機能の一部又は全部を実現するものであってもよい。また、制御部１０には、不揮発性メモリ１０ｃも設けられている。不揮発性メモリ１０ｃには、後述する放送信号から抽出した各種情報や、リセット処理の制御に関する情報等が記憶される。
【００１３】
アンテナ２１は、高度ＢＳ放送及び高度広帯域ＣＳ放送（以下、これらを高度広帯域放送という）を受信して高度広帯域放送信号を放送受信装置１の入力端子２ａに供給する。入力端子２ａに入力された高度広帯域放送信号はチューナ部Ｔｕに供給される。
【００１４】
チューナ部Ｔｕは、複数のチューナＴｕ１，Ｔｕ２，…（以下、これらを代表してチューナＴｕｎという）を有している。チューナＴｕｎは、制御部１０に制御されて、それぞれ入力された高度広帯域放送信号の中から所望のチャンネルの放送信号を選局し、選局した信号を信号処理部３に出力する。信号処理部３は、入力された放送信号を復調する。
【００１５】
図１の例では１つの高度広帯域放送に対応するアンテナ２１のみを示したが、地上デジタル放送、ＢＳ放送、ＣＳ放送に対応するアンテナを設けて、各アンテナからの信号をチューナ部Ｔｕに供給するようになっていてもよい。この場合には、信号処理部３は、各放送の変調方式に対応した復調を行う。これにより、信号処理部３において、各放送信号のストリームが得られる。なお、図１では各放送信号がアンテナを介して入力される例を示したが、放送信号の伝送路は特に限定されるものではなく、空中線を介さずインターネット回線を介して受信するＩＰ放送や、ケーブルテレビジョン放送網を介して受信するものであってもよい。
【００１６】
例えば、高度広帯域放送信号については、信号処理部３の復調によってＴＬＶ（Type Length Value ）ストリームが得られる。信号処理部３は、ＴＬＶストリームに含まれるＩＰパケットを分離し、ＩＰパケット中に含まれる映像データ、音声データ、字幕データ、文字スーパー、アプリケーションデータ及びＥＣＭ（ Entitlement Control Message），ＥＭＭ（Entitlement Management Message）を含む各種メッセージを抽出する。
【００１７】
また、信号処理部３は、地上デジタル放送信号等の現行放送信号については、復調処理によってトランスポートストリーム（ＭＰＥＧ−２  Ｓｙｓｔｅｍｓ規格により多重されたトランスポートストリーム）を抽出する。信号処理部３は、トランスポートストリームから映像データ及び音声データを抽出すると共に、ＥＣＭ，ＥＭＭを含む各種メッセージを抽出するようになっている。
【００１８】
放送受信装置１にはＣＡＳモジュール１５が設けられている。ＣＡＳモジュール１５は、限定受信方式の制御のために用いられる。ＣＡＳモジュール１５には、モジュール固有のマスターキーＫｍが記憶されている。信号処理部３において抽出されたＥＭＭにはスクランブルを解除するためのワーク鍵Ｋｗが含まれる。このＥＭＭは、モジュール毎に個別のマスターキーＫｍで暗号化されており、ＣＡＳモジュール１５は、制御部１０から与えられたＥＭＭをマスターキーＫｍを用いて復号してワーク鍵Ｋｗを取得する。
【００１９】
放送データはスクランブル鍵Ｋｓにより暗号化されている場合がある。このスクランブル鍵Ｋｓは、ＥＣＭに多重されて伝送される。ＥＣＭは放送事業者毎に可変のワーク鍵Ｋｗによって暗号化されており、ＣＡＳモジュール１５は、保存しているワーク鍵Ｋｗを用いて、制御部１０から与えられたＥＣＭを復号してスクランブル鍵Ｋｓを取得する。ＣＡＳモジュール１５からのスクランブル鍵Ｋｓは制御部１０を介して信号処理部３に供給され、信号処理部３は、スクランブル鍵Ｋｓを用いて、デスクランブル処理を行うようになっている。
【００２０】
なお、スクランブル鍵Ｋｓは、比較的短い時間で更新されており、ＣＡＳモジュール１５は、スクランブルが施された番組の視聴中は、常にスクランブル鍵Ｋｓの取得及び信号処理部３への出力を行って、デスクランブルを可能にする必要がある。なお、ＩＣカード２３としてＣＡＳカードを用いた場合には、このＣＡＳカードの復号動作もＣＡＳモジュール１５と同様である。
【００２１】
なお、ＣＡＳモジュール１５は、放送受信装置１に内蔵されたチップ上に搭載されて構成される場合もあり、また、ＣＡＳモジュールが組み込まれた基板によって構成されて、放送受信装置１に設けた図示しないスロットに当該基板を挿入することで限定受信機能を実現する場合も考えられる。また、ＣＡＳモジュール１５は、高度広帯域放送の限定受信機能と現行放送の限定受信機能の両方の機能を有する場合や、高度広帯域放送の限定受信機能のみを備え、現行放送の限定受信機能については、ＩＣカード２３としてのＣＡＳカードにより実現する場合もある。
【００２２】
信号処理部３は、各放送方式の抽出された映像及び音声に対するデコード処理を行った後所定の信号処理を施し、映像データ及び音声データを得る。信号処理部３は、映像データ及び音声データをそれぞれグラフィック処理部４又は音声処理部７に与え、その他のデータを制御部１０に与える。
【００２３】
ＯＳＤ信号生成部５は、制御部１０から与えられた情報に基づいて、スーパーインポーズ表示するための画像情報（ＯＳＤ信号）を生成してグラフィック処理部４に供給する。グラフィック処理部４は、信号処理部３からのデジタルの映像データと、ＯＳＤ信号生成部５からのＧＵＩ（Graphical User Interface)に基づくウィンドウ描画とを管理して、映像データに基づく画像上にデータ放送やＧＵＩに基づく画像等を重ね合わせ、重ね合わせた画像を映像処理部６に送る。
【００２４】
例えば、グラフィック処理部４には、映像データの他、番組を取得するための各種データや電子番組ガイド（ＥＰＧ）情報，番組属性情報，字幕情報等が与えられ、グラフィック処理部４は、これら入力された情報に基づいてＥＰＧ，字幕等を表示するため画像生成処理を行うことができる。
【００２５】
映像処理部６は、制御部１０に制御されて、グラフィック処理部４からのデジタル映像信号を映像表示部８で表示可能なフォーマット（画素数、フレーム周波数、走査方式）に変換したり、表示色を任意に調整したりして、映像表示部８に出力する。これにより、映像表示部８の表示画面上において、映像を表示させることができる。
【００２６】
また、音声処理部７は、信号処理部３からのデジタルの音声データを、スピーカー９で再生可能なアナログ音声信号に変換した後、スピーカー９に出力して音声を再生させる。なお、放送受信装置がセット・トップ・ボックス等の場合には、映像表示部８やスピーカー９を備えている必要はない。
【００２７】
放送受信装置１にはカードインタフェース（Ｉ／Ｆ）１３、通信Ｉ／Ｆ１６、ＵＳＢＩ／Ｆ１７及びＨＤＭＩＩ／Ｆ１８が設けられている。カードＩ／Ｆ１３は、カードホルダ１４に装着されたＩＣカード２３と、制御部１０との間でデータの送受信を可能にする。例えば、ＩＣカード２３として現行デジタル放送に対応したＣＡＳカード（以下、Ｂ−ＣＡＳカードという）を採用した場合には、カードＩ／Ｆ１３は、現行放送のデスクランブルに関するデータの送受を行う。
【００２８】
通信Ｉ／Ｆ１６は、電話回線やＬＡＮ等の所定の通信路に対応したインタフェースであり、端子２ｂを介して図示しない外部機器に接続されて外部機器と制御部１０との間でデータの送受信を可能にする。また、ＨＤＭＩＩ／Ｆ１８は、ＨＤＭＩ（登録商標）規格に対応したインタフェースであり、端子２ｄを介して図示しない外部機器に接続されて外部機器からのＨＤＭＩ信号を受信して制御部１０に出力したり、制御部１０からのＨＤＭＩ信号を、端子２ｂを介して外部機器に出力したりすることができる。
【００２９】
ＵＳＢＩ／Ｆ１７は、ＵＳＢ規格に対応したインタフェースであり、端子２ｃを介してＨＤＤ２４等のＵＳＢ対応機器に接続されてＵＳＢ対応機器と制御部１０との間でデータの送受信を可能にする。例えば、端子２ｃにＨＤＤ２４が接続された場合には、制御部１０は、ＵＳＢＩ／Ｆ１７及び端子２ｃを介して映像データをＨＤＤ２４に与えて記録させることが可能である。
【００３０】
なお、放送受信装置１に内蔵した図示しないＨＤＤや光ディスクディスクドライブ、ＳＤ（登録商標）カードリーダライタ等によって記録部を構成した場合には、制御部１０は、放送番組の信号をこれらの各記録部に記録することも可能である。
【００３１】
例えば、制御部１０は、ユーザによって放送番組の録画が指定された場合には、信号処理部３によって取得されたデスクランブル後の番組データ（映像及び音声データ）をＵＳＢＩ／Ｆ１７を介してＨＤＤ２４に与えて記録させることができるようになっている。なお、制御部１０は、放送番組の記録をスタンバイ状態（機能待機状態）においても実行することができるようになっている。
【００３２】
放送受信装置１には操作部１１及び受信部１２が設けられている。操作部１１は図示しないスイッチ、キー、ボタン等によって構成されて、ユーザ操作に基づく操作信号を制御部１０に出力する。また、受信部１２は、リモートコントローラ２２からユーザ操作に基づく操作信号を受信し、受信した操作信号を制御部１０に出力する。制御部１０は、操作部１１及び受信部１２からの操作信号に基づいて、放送受信装置１の各部を制御する。例えば、リモコン制御部７によって、アップ／ダウンキーやワンタッチ選局キー等によって受信チャンネル番号を指定する操作が行われた場合には、各チューナＴｕｎは、リモコン制御部７からの操作信号に応じた選局動作を行う。
【００３３】
操作部１１及びリモートコントローラ２２には、放送受信装置１の電源のオン，オフ操作を行うための図示しない電源スイッチが配設されている。放送受信装置１には、各部に電源を供給するための図示しない電源回路が設けられており、制御部１０は、電源スイッチが操作されることで、各部への電源供給を制御して、スタンバイ状態に設定するようになっている。
【００３４】
なお、スタンバイ状態では、少なくとも図１のグラフィック処理部４、ＯＳＤ信号生成部５、映像処理部６、音声処理部７、映像表示部８及びスピーカー９については動作停止状態となり、制御部１０は動作していてもユーザは放送番組の視聴はできない。なお、本実施の形態を高度広帯域放送を受信して映像及び音声を出力するデコーダに適用した場合には、スタンバイ状態は、映像及び音声データの出力停止状態を意味する。
【００３５】
ところで、ＣＡＳモジュール１５は、放送等によってＣＡＳモジュール１５のファームウェアが伝送されてバージョンアップが行われることがある。この場合における装置の安定化のために、或いは他の何からの理由によって、ＣＡＳモジュール１５のリセットを行った方が良い場合があり、ＣＡＳモジュール１５は、ＣＡＳモジュール１５自体のリセットを行うために、リセット要求を制御部１０に出力することがある。
【００３６】
制御部１０は、ＣＡＳモジュール１５からのリセット要求を受けると、電源スイッチのオン操作（電源投入操作）直後の所定期間又は電源スイッチのオフ操作（スタンバイ操作）によるスタンバイ状態の期間（以下、これらの期間をリセット可能期間という）においてのみ、ＣＡＳモジュール１５のリセットを許可するようになっている。
【００３７】
更に、本実施の形態においては、制御部１０は、リセット可能期間であっても、リセット可能期間における機能の実施状況に応じて、リセットの実行を制御するようになっている。即ち、制御部１０は、リセット要求を保持してリセット可能期間になった場合及びリセット可能期間になった後にリセット要求が発生した場合のいずれにおいても、先ずリセット可能期間の実施状況を判定し、判定結果に応じてＣＡＳモジュール１５が使用されない期間（以下、不使用期間という）を判定し、この不使用期間においてＣＡＳモジュール１５のリセットが可能か否かによってリセットの可否を決定する。
【００３８】
なお、制御部１０は、現在受信している放送番組がＣＡＳモジュール１５による限定受信の対象でない場合のように、ＣＡＳモジュール１５が使用されない不使用期間には、通常動作時であっても、リセット要求直後にＣＡＳモジュール１５にリセットの指示を与えてもよい。なお、ＣＡＳモジュール１５による限定受信の対象でない番組とは、スクランブルが施されていない番組である。
【００３９】
また、ＣＡＳモジュール１５が使用されない不使用期間とは、通常動作時であっても、画面に番組を表示しないメニュー表示時等や、外部入力された映像の表示期間等も含まれる。
【００４０】
しかし、通常動作時には、比較的頻繁にチャンネル切換え等が発生することがあるので、本実施の形態においては、放送受信装置１のスタンバイ状態、即ち、リセット可能期間におけるＣＡＳモジュール１５の不使用期間を判定する。制御部１０は、スタンバイ状態において、例えば、以下のように、各種機能を実現することが可能である。なお、スタンバイ状態における以下の機能例については、ARIB_TR-B39等にも記載されている。
【００４１】
例えば、制御部１０は、スタンバイ状態であっても、告知情報に基づいて、自身のタイマーにてダウンロードコンテンツ情報の受信に必要な回路に電源を供給し、ダウンロードコンテンツをダウンロードし、ダウンロード終了時に立ち上げた電源を切る電源制御機能を有する。また、制御部１０は、電源スイッチのオフ操作が行われてスタンバイ状態に移行する場合であっても、必要な回路の通電を保持し、ダウンロードコンテンツをダウンロードし、ダウンロード終了時に電源を切る電源制御機能を有する。
【００４２】
また、制御部１０は、EMM取得のために、上述した通電制御機能と同様の動作を行うことも可能である。
【００４３】
また、制御部１０は、スタンバイ状態において、チャンネルサーチによるEPG情報の取得が可能である。
【００４４】
また、制御部１０は、スタンバイ状態において TMCCを受信し、TMCCの起動制御ビットが 1 の場合も受信チャンネルのMPTにある緊急情報記述子（MH）を監視することで、緊急警報放送（EWS）の受信処理を行うことが出来る。
【００４５】
また、制御部１０は、受信者による各種予約動作（番組予約など）を実行することができる。
【００４６】
本実施の形態においては、スタンバイ状態時等におけるこれらの機能のうち、ＣＡＳモジュール１５の限定受信処理を必要とする機能（以下、リセット制限機能という）の全部又は一部について、制御部１０は、スタンバイ状態であってもリセット要求を保持し、リセットを実行しないようになっている。なお、電源投入直後においてもリセット制限機能が実行されている場合があり、この場合にも、制御部１０は、リセット要求を保持し、リセットを実行しないようになっている。
【００４７】
そして、制御部１０は、リセット可能期間において、リセット制限機能の実行が終了した後に、ＣＡＳモジュール１５をリセットするようになっている。
【００４８】
例えば、制御部１０は、リセット要求を保持した状態でスタンバイ状態に移行した場合、或いはスタンバイ状態においてリセット要求が発生した場合のいずれでも、スタンバイ状態における予約録画の途中ではリセットは行わず、予約録画の終了後にＣＡＳモジュール１５のリセットを実行させるようになっている。
【００４９】
また、例えば、ＣＡＳモジュール１５のリセット途中でリセット制限機能の実行時間に到達する場合等のように、ＣＡＳモジュール１５のリセットがリセット制限機能の実行を阻害する可能性がある場合には、制御部１０は、ＣＡＳモジュール１５のリセットの実行を保留し、リセット制限機能の実行を阻害する可能性がなくなった後に、ＣＡＳモジュール１５にリセットを指示するようになっている。
【００５０】
例えば、スタンバイ状態移行後の比較的短い時間後に録画予約の録画開始時間が設定されている場合等のように、ＣＡＳモジュール１５のリセットによって予約された録画が阻害される可能性がある場合には、制御部１０は、この録画予約の録画が終了した後に、ＣＡＳモジュール１５のリセットを実行させるようになっている。
【００５１】
次に、このように構成された実施の形態の動作について図２を参照して説明する。図２は実施の形態の動作を説明するためのフローチャートである。
【００５２】
アンテナ２１を介して受信された高度広帯域放送信号はチューナ部Ｔｕに供給される。各チューナＴｕｎは、ユーザの選局操作に基づくチャンネルを選択して放送信号を信号処理部３に出力する。
【００５３】
信号処理部３は、入力された放送信号を復調してＴＬＶストリームを得る。信号処理部３は、ＴＬＶストリームから映像及び音声を抽出すると共に、ＥＣＭ，ＥＭＭを含む各種メッセージを抽出する。ＥＣＭ，ＥＭＭは、制御部１０を介してＣＡＳモジュール１５に供給される。ＣＡＳモジュール１５は、マスターキーＫｍによってＥＭＭを復号してワーク鍵Ｋｗを取得する。ＣＡＳモジュール１５は、取得したワーク鍵Ｋｗを用いて、ＥＣＭからスクランブル鍵Ｋｓを取得する。このスクランブル鍵Ｋｓは、制御部１０を介して信号処理部３に供給される。信号処理部３は、限定受信の対象の番組については、制御部１０からのスクランブル鍵Ｋｓを用いて、デスクランブル処理を行う。
【００５４】
信号処理部３は、各放送方式の抽出された映像及び音声に対するデコード処理を行った後所定の信号処理を施し、映像データ及び音声データを得る。映像データは、グラフィック処理部４において、スーパーインポーズ表示する画像が合成された後映像処理部６に与えられ、音声データは音声処理部７に与えられる。
【００５５】
映像処理部６は、入力された映像信号を映像表示部８において表示可能なフォーマットに変換して、映像表示部８に出力する。音声処理部７は、信号処理部３からのデジタルの音声データを、スピーカー９で再生可能なアナログ音声信号に変換した後、スピーカー９に出力して音声を再生させる。こうして、映像表示部８の表示画面上において、番組の視聴が可能となる。
【００５６】
なお、ユーザによって番組の録画が指定された場合には、制御部１０は、信号処理部３によってデスクランブルされた映像及び音声をＵＳＢＩ／Ｆ１７を介してＨＤＤ２４に与えて記録させる。再生時には、ＨＤＤ２４に記録された番組は、制御部１０によって読出されて信号処理部３に供給される。こうして、信号処理部３によって録画番組が再生されて映像表示部８に表示され、ユーザによる視聴が可能となる。
【００５７】
制御部１０は、図２のステップＳ１においてリセット要求を受信したか否かを判定しており、リセット要求の受信待機状態である。いま、ファームウェアのバージョンアップ等の理由により、ＣＡＳモジュール１５がリセット要求を制御部１０に出力するものとする。制御部１０は、リセット要求を受信すると、ステップＳ２に処理を移行して、受信したリセット要求を例えばＲＡＭ１０ｂに保持した後、次のステップＳ３において、リセット可能期間であるか否かを判定する。
【００５８】
本実施の形態においては、リセット可能期間は、電源投入直後の所定期間又はスタンバイ状態の期間に設定されており、制御部１０は、電源スイッチのオン操作又はオフ操作によってこれらの期間への移行を判定する。例えば、ユーザによって電源スイッチのオフ操作が行われたものとする。そうすると、制御部１０は、電源スイッチのオフ操作を検出して、スタンバイ状態への移行を設定すると共に、リセット可能期間になったものと判定して、処理をステップＳ４に移行する。また、ユーザによって電源スイッチのオン操作が行われた場合には、制御部１０は、電源スイッチのオン操作を検出して、スタンバイ状態を解除し通常状態への移行を設定すると共に、電源投入から所定期間が経過するまでの間はリセット可能期間であるものと判定して、処理をステップＳ４に移行する。
【００５９】
制御部１０は、ステップＳ４において、スタンバイ状態におけるリセット制限機能又はスタンバイ状態から通常状態への移行時に実行されているリセット制限機能の実施状態を判定する。そして、この判定結果に基づいて、ＣＡＳモジュール１５のリセットにより、リセット制限機能の実施が阻害されるか否かを判定する（ステップＳ５）。
【００６０】
例えば、リセット要求を保持した状態でスタンバイ状態に移行し、このスタンバイ状態の開始時において予約録画が行われているときには、制御部１０は、この予約録画の実施にＣＡＳモジュール１５が使用され、ＣＡＳモジュール１５のリセットにより予約録画の実施が阻害を受けるものと判定する。また、制御部１０は、例えば、スタンバイ時にリセット要求を受けた場合において、当該リセット要求時に予約録画が行われている場合には、当該録画の実施がＣＡＳモジュール１５のリセットにより阻害を受けるものと判定する。
【００６１】
更に、制御部１０は、リセット可能期間においてリセット制限機能が実行されていない場合であっても、ＣＡＳモジュール１５のリセットによってリセット制限機能の実行が制限を受ける可能性がある場合には、リセットによりリセット制限機能の実施が阻害されるものと判定する。
【００６２】
例えば、ＣＡＳモジュール１５のリセットに所定時間（以下、リセット時間という）を要する場合において、リセット要求を保持した状態でスタンバイ状態に移行し、このスタンバイ状態の開始時からリセット時間以内に予約録画が開始される場合には、制御部１０は、この予約録画の実施がＣＡＳモジュール１５のリセットにより阻害を受けるものと判定する。
【００６３】
制御部１０は、ステップＳ５において、ＣＡＳモジュール１５のリセットによりリセット制限機能の実施が阻害されると判定した場合には、処理をステップＳ３に戻して、ステップＳ３〜Ｓ５を繰り返す。また、制御部１０は、ステップＳ５において、ＣＡＳモジュール１５のリセットによりリセット制限機能の実施が阻害さないと判定した場合には、処理をステップＳ６に移行して、ＣＡＳモジュール１５に対してリセット指示を発生し、ステップＳ２でＲＡＭ１０ｂに保持したリセット要求をクリアする。これにより、ＣＡＳモジュール１５はリセットを実施する。例えば、スタンバイ状態において、ＣＡＳモジュール１５を使用した予約録画が終了した場合等においては、ＣＡＳモジュール１５は不使用となり、制御部１０は、ＣＡＳモジュール１５の不使用期間にＣＡＳモジュール１５にリセットする。
【００６４】
このように本実施の形態においては、ＣＡＳモジュールからリセット要求が発生した場合においても、リセット可能期間である電源投入直後及びスタンバイ状態までリセット要求を保存してリセットを保留するようになっている。そして、リセット可能期間になると、リセットによりスタンバイ時等に実施される機能が制限を受けるか否かを判定して、制限を受けない場合にのみリセットを実施するようになっている。これにより、ＣＡＳモジュールのリセットにより所望の機能が実施できなくなることを防止することができる。例えば、スタンバイ時等の予約録画時にＣＡＳモジュールのリセットが発生して録画不能になることを防止することができる。また、更に、所望の機能の実施後に、保留したリセットを実施することができ、機能の実施を阻害することなくリセットを行って、ＣＡＳモジュールの安定性を確保することができる。
（第２の実施の形態）
図３は本発明の第２の実施の形態に採用される動作フローを示すフローチャートである。図３において図２と同一の手順には同一符号を付して説明を省略する。なお、本実施の形態におけるハードウェア構成は図１と同様である。なお、本実施の形態は、図１のＩＣカード２３として地上デジタル放送、ＢＳ放送、ＣＳ放送に対応したＢ−ＣＡＳカードが装着されていることが前提である。即ち、ＣＡＳモジュール１５は、高度広帯域放送番組について限定受信処理を行い、地上デジタル放送、ＢＳ放送及びＣＳ放送の番組については、Ｂ−ＣＡＳカードが限定受信処理を行う。
【００６５】
第１の実施の形態においては、ＣＡＳモジュール１５のリセットにより、リセット可能期間におけるリセット制限機能が阻害される場合を判定して、リセットの実行を制御した。しかし、リセット可能期間だけでなく通常動作時においても、カードホルダ１４に装着されたＢ−ＣＡＳカードにより限定受信処理を行う場合には、ＣＡＳモジュール１５のリセットを行ってもＢ−ＣＡＳカードを用いた限定受信処理には影響はないため特に問題は無い。即ち、Ｂ−ＣＡＳカードを用いて限定受信処理を行う地上デジタル放送、ＢＳ放送、ＣＳ放送の番組を視聴や録画する場合には、ＣＡＳモジュール１５のリセットを行っても特に問題は無い。
【００６６】
そこで、本実施の形態においては、通常動作時において、ＣＡＳモジュール１５の限定受信処理が不要な場合等のＣＡＳモジュール１５の不使用期間及びリセット可能期間においてＣＡＳモジュール１５の限定受信処理が不要な不使用期間には、リセット要求に従ってＣＡＳモジュール１５をリセットするようになっている。
【００６７】
図３はステップＳ１１の判定処理を付加した点が図２の動作フローと異なる。制御部１０は、ステップＳ２においてリセット要求を保持した後、ステップＳ１１において、ＣＡＳモジュール１５による限定受信処理が必要であるか否かを判定する。制御部１０は、ステップＳ１１において、ＣＡＳモジュール１５による限定受信処理が不要であると判定した場合には、処理をステップＳ６に移行して、ＣＡＳモジュール１５のリセットを実行する。制御部１０は、ステップＳ１１において、ＣＡＳモジュール１５による限定受信処理が必要であると判定した場合には、処理をステップＳ３に移行して、第１の実施形態と同様のリセット制御を行う。
【００６８】
例えば、リセット要求時において視聴中の番組がＢ−ＣＡＳカードにより限定受信処理が行われている場合には、制御部１０は、リセット要求後に直ちにＣＡＳモジュール１５にリセット指示を出す。また、例えば、リセット要求を保持した状態でスタンバイ状態に移行する場合において、スタンバイ状態への移行時の予約録画がＢ−ＣＡＳカードによる限定受信を行う番組である場合には、制御部１０は、スタンバイ状態への移行直後において、ＣＡＳモジュール１５のリセットを実行する。
【００６９】
このように本実施の形態においては、ＣＡＳモジュールによる限定受信処理が不要な場合には、リセット要求に従ってリセットを行うようになっており、第１の実施の形態よりも早いタイミングでＣＡＳモジュールのリセットを行うことができる可能性があり、ＣＡＳモジュールの安定性を短期間に確立することが可能である。
（第３の実施の形態）
図４は本発明の第３の実施の形態に採用される動作フローを示すフローチャートである。図４において図２と同一の手順には同一符号を付して説明を省略する。なお、本実施の形態におけるハードウェア構成は図１と同様である。また、本実施の形態においても、図１のＩＣカード２３として地上デジタル放送、ＢＳ放送、ＣＳ放送に対応したＣＡＳカード（以下、Ｂ−ＣＡＳカードという）が装着されていることが前提である。上述したように、視聴や録画する番組がＢ−ＣＡＳカードによる限定受信処理の対象の番組である場合には、この視聴や録画時にＣＡＳモジュール１５のリセットを行っても問題は無い。そこで、本実施の形態においては、ＣＡＳモジュール１５からリセット要求が発生した場合には、強制的にＢ−ＣＡＳカードによる限定受信処理の対象の番組に選局を切換えるものである。
【００７０】
図４はステップＳ２１〜Ｓ２４を付加した点が図２の動作フローと異なる。制御部１０は、ステップＳ２においてリセット要求を保持した後、ステップＳ２１において、Ｂ−ＣＡＳカードが装着されているか否かを判定する。Ｂ−ＣＡＳカードが装着されていない場合には、現行放送についても、ＣＡＳモジュール１５によって限定受信処理が行われるようになっており、制御部１０は、処理をステップＳ３に移行して、第１の実施の形態と同様のリセット制御を行う。
【００７１】
Ｂ−ＣＡＳカードが装着されている場合には、制御部１０は、ステップＳ２１からステップＳ２２に処理を移行して、選局しているチャンネルを地上デジタル放送、ＢＳ放送又はＣＳ放送の番組に強制的に変更する。そして、制御部１０は、次のステップＳ２３において、ＣＡＳモジュール１５にリセット指示を与え、ＣＡＳモジュール１５は、リセットを実行する。
【００７２】
ＣＡＳモジュール１５のリセットが終了すると、制御部１０は、次のステップＳ２４において、ステップＳ２２において変更した選局チャンネルを元のチャンネルに戻して処理を終了する。
【００７３】
例えば、リセット要求時において視聴中の番組がＣＡＳモジュール１５による限定処理の対象の番組である場合には、制御部１０は、Ｂ−ＣＡＳカードによる限定受信処理の対象の番組を選局させた後、リセット処理を行う。
【００７４】
このように本実施の形態においては、Ｂ−ＣＡＳカードが装着されている場合には、リセット要求が発生すると、強制的に選局チャンネルをＢ−ＣＡＳカードにより限定受信処理を行う番組に変更した後、リセットを実行するようになっており、選局中の番組の視聴や録画に影響を与えることなく、リセット処理が可能である。これにより、リセット処理を第１の実施の形態よりも早いタイミングで行うことができる可能性があり、ＣＡＳモジュールの安定性を短期間に確立することが可能である。
【００７５】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７６】
１…放送受信装置、２ａ…入力端子、２ｂ〜２ｄ…端子、３…信号処理部、４…グラフィック処理部、５…ＯＳＤ信号生成部、６…映像処理部、７…音声処理部、８…映像表示部、９…スピーカー、１０…制御部、１０ａ…ＲＯＭ、１０ｂ…ＲＡＭ、１０ｃ…不揮発性メモリ、１１…操作部、１２…受信部、１３…カードＩ／Ｆ、１４…カードホルダ、１５…ＣＡＳモジュール、１６…通信Ｉ／Ｆ、１７…ＵＳＢＩ／Ｆ、１８…ＨＤＭＩＩ／Ｆ、２１…アンテナ、２２…リモートコントローラ、２３…ＩＣカード、２４…ＨＤＤ、Ｔｕ…チューナ部、Ｔｕｎ…チューナ。
【図１】
2019103034.tif 000003
【図２】
2019103034.tif 000004
【図３】
2019103034.tif 000005
【図４】
2019103034.tif 000006